(57)【要約】【課題】一段と滑らかに移動させることができるマウスを提供する。【解決手段】移動面にマウス本体１１の底面部１６を接触して移動させることで情報を端末に入力するマウス１０であって、底面部１６に複数のボールベアリング２０が転動自在に設置され、移動面に載置した状態でマウス本体１１が複数のボールベアリング２０に支持され、これらのボールベアリング２０が移動面を転動してマウス本体１１が移動するように構成されている。【選択図】図３
2020071576.tif 000002
【特許請求の範囲】
【請求項１】
移動面にマウス本体の底面部を接触して移動させることで情報を端末に入力するマウスであって、
前記底面部に複数のボールベアリングが転動自在に設置され、前記移動面に載置した状態で前記マウス本体が前記複数のボールベアリングに支持され、これらのボールベアリングが前記移動面を転動して前記マウス本体が移動するように構成したことを特徴とするマウス。
【請求項２】
前記複数のボールベアリングは、前記底面部の外周端に沿って配置されていることを特徴とする請求項１に記載のマウス。
【請求項３】
前記複数のボールベアリングは、円形に配置されていることを特徴する請求項１又は２に記載のマウス。
【請求項４】
前記複数のボールベアリングが円形に配置された円形ベアリングは、前記底面部に複数配置されていることを特徴する請求項３に記載のマウス。
【請求項５】
前記円形ベアリングは、前記底面部の中央に設けた座標情報入力用の光学式センサ部を囲むように配置されていることを特徴する請求項４に記載のマウス。
【発明の詳細な説明】
【技術分野】
【０００１】
本発明は、パーソナルコンピュータ（以下、パソコンと略称する。）の周辺機器であるマウスに関する。
【背景技術】
【０００２】
従来、パソコン等に接続して使用するマウスは、ユーザーがマウスパッドやデスク等の上に当該マウスを接触して移動させることで、パソコン等の画面上のカーソルがその移動に合わせて動くように構成されている。ここで、画面上のカーソルの移動を滑らかにするためには、マウスがマウスパッドやデスク等の上を滑らかに移動させる必要がある。このようにマウスを滑らかに移動させるために、マウスの底面の所定位置に、マウスを滑らせ易くすることを目的とした部材が取り付けられているものがある（例えば、特許文献１参照）。
【先行技術文献】
【特許文献】
【０００３】
【特許文献１】実開平６−８６１３８号公報
【発明の概要】
【発明が解決しようとする課題】
【０００４】
しかしながら、最近では、従来よりもさらに滑らかに移動可能なマウスを希望するユーザーもおり、このような要望に答えるべく、一段と滑らかに移動可能なマウスが望まれていた。
【０００５】
そこで、本発明は、一段と滑らかに移動させることができるマウスを提供することを目的とする。
【課題を解決するための手段】
【０００６】
かかる目的を達成するために、請求項１に記載の発明は、移動面にマウス本体の底面部を接触して移動させることで情報を端末に入力するマウスであって、前記底面部に複数のボールベアリングが転動自在に設置され、前記移動面に載置した状態で前記マウス本体が前記複数のボールベアリングに支持され、これらのボールベアリングが前記移動面を転動して前記マウス本体が移動するように構成したことを特徴とする。
【０００７】
また、請求項２に記載の発明は、請求項１に記載の構成に加え、前記複数のボールベアリングは、前記底面部の外周端に沿って配置されていることを特徴とする。
【０００８】
また、請求項３に記載の発明は、請求項１又は２に記載の構成に加え、前記複数のボールベアリングは、円形に配置されていることを特徴する。
【０００９】
また、請求項４に記載の発明は、請求項３に記載の構成に加え、前記複数のボールベアリングが円形に配置された円形ベアリングは、前記底面部に複数配置されていることを特徴する。
【００１０】
また、請求項５に記載の発明は、請求項４に記載の構成に加え、前記円形ベアリングは、前記底面部の中央に設けた座標情報入力用の光学式センサ部を囲むように配置されていることを特徴する。
【発明の効果】
【００１１】
請求項１に記載の発明によれば、底面部に複数のボールベアリングが転動自在に設置され、移動面に載置した状態でマウス本体が複数のボールベアリングに支持され、これらのボールベアリングが移動面を転動してマウス本体が移動するように構成されているため、底面部に超高分子量ポリエチレンシートのマウスフットを取り付けたマウスに比べて、移動面に対して接触面積を著しく少ない状態で接触させることができる。その結果、マウス本体が移動するときの移動面との摩擦力を極めて小さくすることができ、マウス本体を移動面に対して一段と滑らかに移動させることができる。
【００１２】
また、請求項２に記載の発明によれば、複数のボールベアリングは、底面部の外周端に沿って配置されているため、移動面との接触時に、より安定性のある状態とすることができ、マウス本体を移動面に対してさらに滑らかに移動させることができる。
【００１３】
また、請求項３に記載の発明によれば、複数のボールベアリングは、円形に配置されているため、底面部に既存の円形ベアリングを設置することが可能になる。そのため、滑らかに移動可能なマウスを効率よく生産することができる。
【００１４】
また、請求項４に記載の発明によれば、複数のボールベアリングが円形に配置された円形ベアリングは、底面部に複数配置されているため、マウス本体の移動面との接触時に、より安定性のある状態とすることができ、マウス本体を移動面に対してさらに滑らかに移動させることができる。
【００１５】
また、請求項５に記載の発明によれば、円形ベアリングは、底面部の中央に設けた座標情報入力用の光学式センサ部を囲むように配置されているため、マウス本体をさらに滑らかに移動させつつ、光学式センサ部から座標情報を確実に入力することができる。
【図面の簡単な説明】
【００１６】
【図１】本発明の第１実施形態に係るマウスを示す平面図である。
【図２】同実施形態に係るマウスを示す側面図である。
【図３】同実施形態に係るマウスを示す底面図である。
【図４】図３におけるＩＶ−ＩＶ線による断面図である。
【図５】第２実施形態に係るマウスを示す底面図である。
【図６】第３実施形態に係るマウスを示す底面図である。
【図７】図６におけるＶＩＩ−ＶＩＩ線による断面図である。
【図８】第４実施形態に係るマウスを示す底面図である。
【図９】第５実施形態に係るマウスを示す底面図である。
【図１０】第６実施形態に係るマウスを示す底面図である。
【発明を実施するための形態】
【００１７】
以下、本発明の実施形態について、図面を参照して詳細に説明する。
【００１８】
［第１実施形態］
図１〜図４には、本発明の実施形態を示す。図１は、本発明の第１実施形態に係るマウスを示す平面図である。図２は、同実施形態に係るマウスを示す側面図である。図３は、同実施形態に係るマウスを示す底面図である。図４は、図３におけるＩＶ−ＩＶ線による断面図である。
【００１９】
図１に示すように、本実施形態のマウス１０は、パソコン等の端末（図示省略）に接続して、マウスパッドやデスク等の移動面Ｍ上に接触して移動させることで、情報を端末に入力するものである。
【００２０】
また、本実施形態のマウス１０は、図１〜図３に示すように、内部にセンサ等の機械部（図示省略）を有するマウス本体１１を有する。このマウス本体１１の表面の先端側には、クリック操作を行うための左ボタン１２と右ボタン１３とを備える。この左ボタン１２と右ボタン１３との間には、スクロール操作等を行うためのホイール１４が設置されている。マウス本体１１の先端からは、接続コード１５が延びており、この接続コード１５の先端に設けられたコネクタ（図示省略）を介して、パソコン等の端末に接続されるように構成されている。
【００２１】
図３に示すように、マウス本体１１の底面部１６の中央の位置には、座標情報入力用の光学式センサ部１７が設置されている。この光学式センサ部１７は、マウス本体１１の移動量及び移動方向に基づいて座標情報を入力する。この座標情報は、接続コード１５を通してパソコン等の端末に入力されることで、この端末の画面上においてカーソルが移動する。
【００２２】
図３に示すように、マウス本体１１の底面部１６には、複数のボールベアリング（本実施形態では、８個）２０が転動自在に分散して設置されている。これらのボールベアリング２０は、底面部１６を左側と右側に中心線で分けた場合、線対象に配置されており、それぞれボール２１を備えている。具体的に本実施形態では、複数のボールベアリング２０にフリーボールベアリングが用いられている。
【００２３】
マウス本体１１は、図２に示すように移動面Ｍ上に載置した状態で複数のボールベアリング２０に支持されている。これらのボールベアリング２０のボール２１は、移動面Ｍ上を転動することで、マウス本体１１が移動するように構成されている。
【００２４】
マウス本体１１の底面部１６は、例えばＰＯＭ樹脂(ポリアセタール)等の合成樹脂によって成形されている。底面部１６には、図３及び図４に示すように複数の凹部２２が形成されている。各ボールベアリング２０は、各凹部２２にそれぞれボール２１が嵌り込んで構成される。例えば、各ボール２１は、それぞれ凹部２２の開口端の弾性力に抗して圧入されている。各ボール２１は、ステンレス鋼等の金属又はセラミックス等の硬質の材料から成形される。
【００２５】
ここで、複数のボールベアリング２０は、底面部１６が移動面Ｍ上を接触して移動するとき、ＸＹ平面のあらゆる方向に対しても滑らかに移動させることができるように配置されることが望ましい。
【００２６】
このような構成のマウス１０を使用する場合には、ユーザーはマウス１０を片方の手で把持し、そのマウス１０を移動面Ｍに接触させながら移動面Ｍ上を移動させる。特に、マウス１０を激しい動きが要求されるゲーム等で使用するときには、端末に素早い移動情報を送る必要があり、マウス１０自体が素早く滑らかな動きをする必要がある。
【００２７】
そこで、本実施形態のマウス１０では、底面部１６に複数のボールベアリング２０が転動自在に設置され、移動面Ｍに載置した状態でマウス本体１１が複数のボールベアリング２０の全てに支持され、これらのボールベアリング２０が移動面Ｍ上を転動してマウス本体１１が移動するように構成されている。そのため、移動面Ｍに対して各ボールベアリング２０のボール２１の一点のみが接触して転動するようになっている。
【００２８】
このように本実施形態によれば、マウス１０が移動面Ｍに対して各ボールベアリング２０のボール２１の一点のみが接触するようになっていることで、移動面Ｍに対する接触面積をより小さい面積にすることができる。そのため、広い接触範囲で移動面Ｍに対する安定した接地力を有するとともに、小さい接触面積で移動面Ｍに対する摩擦力を小さくすることができる。その結果、マウス１０を移動面Ｍ上で安定させた上で一段と滑り易くさせ、滑らかに移動させることができる。
【００２９】
なお、本実施形態では、凹部２２に１個のボール２１を嵌め込んだ例について説明したが、これに限らず凹部２２内にボール２１よりも小径の小球を多数配列し、これらの小球の上にボール２１を配置して全方向に転動可能に保持するようにしてもよい。このように構成することで、マウス１０が一段と滑り易くなり、滑らかに移動させることができる。
【００３０】
［第２実施形態］
図５は、第２実施形態に係るマウスを示す底面図である。なお、前記第１実施形態と同一又は対応する部分には、同一の符号を付して重複する説明は省略し、前記第１実施形態と異なる構成及び作用について説明する。その他の実施形態も同様である。
【００３１】
図５に示すように、本実施形態の複数のボールベアリング２０は、底面部１６の外周端に沿って配置されている。これらのボールベアリング２０は、底面部１６を左側と右側に中心線で分けた場合、線対象に配置されている。複数のボールベアリング２０は、前記第１実施形態と同様にフリーボールベアリングが用いられている。
【００３２】
このように本実施形態によれば、複数のボールベアリング２０を底面部１６の外周端に沿って配置したことにより、移動面Ｍとの接触時に、より安定性のある状態とすることができ、マウス本体１１を移動面Ｍに対してさらに滑らかに移動させることができる。その他の構成及び作用は、前記第１実施形態と同様であるので、その説明を省略する。
【００３３】
なお、本実施形態では、複数のボールベアリング２０を底面部１６の外周端に沿って１周分配置した例について説明したが、これに限らずその内周側に、外周端に沿った形状と相似形を形成する複数のボールベアリング２０を複数の周にわたって配置してもよい。
【００３４】
［第３実施形態］
図６は、第３実施形態に係るマウスを示す底面図である。図７は、図６におけるＶＩＩ−ＶＩＩ線による断面図である。
【００３５】
図６及び図７に示すように、本実施形態では、底面部１６にユニット化して構成された円形ベアリング３０Ａが例えば接着剤により固定されている。円形ベアリング３０Ａは、円環状に形成され、光学式センサ部１７を中心として囲むように配置されている。
【００３６】
円形ベアリング３０Ａは、周方向に沿って凹溝３２が形成され、この凹溝３２の内外周にそれぞれ内輪部３３と外輪部３４が形成されている。内輪部３３及び外輪部３４には、周方向に一定間隔をおいてポケットが形成され、このポケット内にそれぞれボール３１が嵌め込まれている。これにより、複数のボールベアリング３５が円形に配置され、ボール３１の一部が内輪部３３及び外輪部３４から突出する。このような構造の円形ベアリング３０Ａは、既製品として存在する。
【００３７】
したがって、本実施形態のマウス１０は、円形ベアリング３０Ａの複数のボールベアリング３５のボール３１が転動自在に設置され、移動面Ｍに載置した状態でマウス本体１１が複数のボールベアリング３５のボール３１の全てに支持され、これらのボール３１が移動面Ｍ上を転動してマウス本体１１が移動する。
【００３８】
このように本実施形態によれば、円形ベアリング３０Ａが複数のボールベアリング３５が円形に配置されているので、底面部１６に既存の円形ベアリング３０Ａを設置することが可能となる。そのため、滑らかに移動可能なマウス１０を効率よく生産することができる。
【００３９】
また、本実施形態によれば、円形ベアリング３０Ａは、底面部１６の中央に設けた座標情報入力用の光学式センサ部１７を囲むように配置されているため、マウス本体１１をさらに滑らかに移動させつつ、光学式センサ部１７から座標情報を確実に入力することができる。
【００４０】
なお、本実施形態では、円形ベアリング３０Ａの外周側における前後の底面部１６に前記第２実施形態と同様のボールベアリング２０を複数設置するようにしてもよい。また、円形ベアリング３０Ａの内周側の底面部１６に複数のボールベアリング２０を設置してもよい。つまり、底面部１６の空いたスペースに複数のボールベアリング２０を設置してもよい。これにより、移動面Ｍとの接触時に、より安定性のある状態とすることができる。
【００４１】
［第４実施形態］
図８は、第４実施形態に係るマウスを示す底面図である。
【００４２】
図８に示すように、本実施形態は、前記第２実施形態と第３実施形態を組み合わせたものである。本実施形態の円形ベアリング３０Ｂは、第３実施形態の円形ベアリング３０Ａよりも小径に形成されている。それ以外の構造は、円形ベアリング３０Ａと同様であるため、説明を省略する。なお、複数のボールベアリング２０は、前記第２実施形態と同様に底面部１６の外周端に沿って配置され、全く同様の構造である。
【００４３】
このように本実施形態によれば、底面部１６の外周端に沿って複数のボールベアリング２０を配置するとともに、光学式センサ部１７を囲むように円形ベアリング３０Ｂを底面部１６に配置したことにより、移動面Ｍとの接触時に、より安定性のある状態とすることができ、マウス本体１１を移動面Ｍに対してさらに滑らかに移動させることができる。
【００４４】
［第５実施形態］
図９は、第５実施形態に係るマウスを示す底面図である。
【００４５】
図９に示すように、本実施形態は、第３実施形態の円形ベアリング３０Ａと、第４実施形態の円形ベアリング３０Ｂが光学式センサ部１７を囲むように配置されている。また、円形ベアリング３０Ａと、円形ベアリング３０Ｂは、同心状に配置されている。
【００４６】
このように本実施形態によれば、光学式センサ部１７を囲むように円形ベアリング３０Ａ，３０Ｂを配置するとともに、円形ベアリング３０Ａ，３０Ｂを同心状に配置したことにより、前記第４実施形態と同様に、移動面Ｍとの接触時に、より安定性のある状態とすることができ、マウス本体１１を移動面Ｍに対してさらに滑らかに移動させることができる。
【００４７】
なお、本実施形態では、前記第３実施形態と同様に、円形ベアリング３０Ａの前後の底面部１６に前記第２実施形態と同様のボールベアリング２０を複数設置するようにしてもよい。つまり、本実施形態でも底面部１６の空いたスペースに複数のボールベアリング２０を設置してもよい。これにより、移動面Ｍとの接触時に、より安定性のある状態とすることができる。
【００４８】
［第６実施形態］
図１０は、第６実施形態に係るマウスを示す底面図である。
【００４９】
図１０に示すように、本実施形態は、第４実施形態の円形ベアリング３０Ｂが底面部１６において光学式センサ部１７を挟んで前後両側に配置されている。
【００５０】
このように本実施形態によれば、底面部１６に円形ベアリング３０Ｂが光学式センサ部１７を挟んで前後両側に配置されているので、滑らかに移動可能なマウス１０を効率よく生産することができる。
【００５１】
ここで、本実施形態でも円形ベアリング３０Ｂを設置していない底面部１６に複数のボールベアリング２０を設置するようにしてもよく、また円形ベアリング３０Ｂよりも小径の円形ベアリングを複数設置するようにしてもよい。
【００５２】
以上説明したように、上記各実施形態におけるボールベアリング２０、円形ベアリング３０Ａ，３０Ｂは、底面部１６に設置する数、配置形態、ボールの大きさ、円形ベアリングの径等が移動面Ｍとの接触時の安定性や、マウス本体１１の移動面Ｍに対する操作性等に基づいて適宜選定することができる。
【００５３】
なお、以上説明した各実施形態は、本発明の理解を容易にするために記載されたものであって、本発明を限定するために記載されたものではない。
【００５４】
例えば、上述した各実施形態では、マウス１０として２ボタン、ホイール付き、接続コード有のものを用いて説明したが、これに限るものではなく、１ボタンや３ボタン以上のもの、ホイール無しのもの、接続コードの代わりに無線等で端末に接続されているもの、ボタンやホイール以外の操作部が設けられたもの等、適宜の構成のマウスを適用することが可能である。
【００５５】
また、上記各実施形態では、マウス１０を移動面Ｍ上に接触して移動させることで、情報を端末に入力するようにしている。この場合、マウス１０を移動面Ｍ上に常時接触させることなく、断続的に接触させるようにしてもよい。
【符号の説明】
【００５６】
１０  マウス
１１  本体部
１２  左ボタン
１３  右ボタン
１４  ホイール
１５  接続コード
１６  底面部
１７  光学式センサ部
２０  ボールベアリング
２１  ボール
２２  凹部
３０Ａ  円形ベアリング
３０Ｂ  円形ベアリング
３１  ボール
３２  凹溝
３３  内輪部
３４  外輪部
３５  ボールベアリング
Ｍ  移動面
【図１】
2020071576.tif 000003
【図２】
2020071576.tif 000004
【図３】
2020071576.tif 000005
【図４】
2020071576.tif 000006
【図５】
2020071576.tif 000007
【図６】
2020071576.tif 000008
【図７】
2020071576.tif 000009
【図８】
2020071576.tif 000010
【図９】
2020071576.tif 000011
【図１０】
2020071576.tif 000012